(57)【要約】【課題】本発明のファインダ装置のレンズ調節機構によれば、調節ネジを回動しすぎても関係する部品の破損を防止し、簡単に視度調整や視差調整を行うことができる。【解決手段】対物レンズ１に支持部１０及び支持部１１を設け、ファインダ装置の光軸に略並行でかつ前記支持部１０を貫通して回動可能なレンズ軸２を設け、該レンズ軸２の一方端を一方の面で回動可能に保持する枠体８を設け、前記支持部１０と枠体８の一方の面との間に圧縮バネ５を設けて前記支持部１０を前記枠体８の他方の面側に付勢し、枠体８の他方の面に回動の中心部からずれた位置に凹部を設けた偏心部材３を回動可能に配設するとともに、前記レンズ軸２の他方端を前記偏心部材３の凹部に配設し、さらに前記支持部１０を枠体８の一方の面側に移動する調節ネジ部材７を螺合している。【選択図】図１
2004258251.tif 000002
【特許請求の範囲】
【請求項１】
光軸と略直交する方向及び略光軸方向に移動可能な少なくとも１枚のレンズと、前記レンズを光軸と略直交する方向及び略光軸方向に移動を行う少なくとも２以上のレンズ調整機構と、前記レンズを支持する少なくとも２以上の支持部と、該支持部の少なくとも１つに貫通して、かつ光軸に略平行に配設する貫通部材と、回動可能でかつ回動中心から外れた位置に凹部を有する偏心部材とを備え、
前記貫通部材の一方端を前記偏心部材の凹部に配設し、前記偏心部材と前記貫通部材の他方端を回動可能に保持する保持部材とを備えることを特徴とするファインダ装置。
【請求項２】
光軸と略直交する方向及び略光軸方向に移動可能な少なくとも１枚のレンズと、前記レンズを光軸と略直交する方向及び略光軸方向に移動を行う少なくとも２以上のレンズ調整機構と、前記レンズを支持する少なくとも２以上の支持部と、該支持部の少なくとも１つに貫通して、かつ光軸に略平行に配設する貫通部材と、回動可能でかつ回動中心から外れた位置で前記貫通部材と一体となす偏心部材と、を備え、
前記偏心部材と前記貫通部材の他方端を回動可能に保持する保持部材とを備えることを特徴とするファインダ装置。
【請求項３】
前記支持部のうち少なくとも１つを付勢する弾性部材と、該弾性部材の付勢方向で、かつ前記保持部の少なくとも１つに螺合可能な調節部とを備え、
前記調節部を回動して前記弾性部材の付勢方向と反対方向に前記支持部を押すことを特徴とする請求項１又は２に記載のファインダ装置。
【発明の詳細な説明】
【０００１】
【発明の属する技術分野】本発明はカメラのファインダ装置に関し、特にレンズの調節のできるファインダ装置に関する。
【０００２】
【従来の技術】従来、カメラ等の撮影装置では、構成する各部材の製造上の寸法誤差等により当初の設計中心から光学的なずれが生じ、これを補正するための調整が必要になることがある。例えば実装式のファインダでは、ファインダレンズの組立工程において、対物レンズを光軸と直交する方向に移動して視差の調整を行う視差調整や、ファインダ像のピント調整を行う視度調整を行っていた。
【０００３】
近年カメラの小型化によりファインダの光学レンズ及びその保持機構に求められる精度が厳しくなってきており、その調整も微妙かつ複雑な為、高度な熟練が必要であった。
【０００４】
そこで、特許文献１によれば対物レンズを上下調節ネジと左右調節ネジを用いることで特殊な工具や熟練作業を要求されることなく、視差調整を容易に行うことができる技術が提案されている。
【０００５】
【特許文献１】
特開２００２−６３６９号公報
【０００６】
【発明が解決しようとする課題】
しかしながら、上述したレンズの調整機構において視度調整を行う場合、調整ネジを回動しすぎて対物レンズを調整範囲以上に移動すると、対物レンズが他の部材に当たるとともに、調節ネジと対物レンズの接触部が破損する場合がある。
【０００７】
また、調節ネジを保持している枠体が変形し、レンズ位置を調整することができない場合もある。
【０００８】
したがって、本発明は叙上に鑑みて鋭意研究の結果なされたものであり、その目的は、調節ネジを回動しすぎても関係する部品の破損を防止し、簡単に視度調整や視差調整を行うことができるファインダ装置のレンズの調整機構を提供することにある。
【０００９】
【課題を解決するための手段】
本発明のファインダ装置によれば、光軸と略直交する方向及び略光軸方向に移動可能な少なくとも１枚のレンズと、前記レンズを光軸と略直交する方向及び略光軸方向に移動を行う少なくとも２以上のレンズ調整機構と、前記レンズに少なくとも２以上の支持部を設け、該支持部の少なくとも１つに貫通して光軸に略平行に延在する貫通部材と、該貫通部材の一方端を回動中心から外れた部位に配設可能な凹部を有する偏心部材と、該偏心部材と前記貫通部材の他方端を回動可能に保持する保持部材とを備えることを特徴とする。
【００１０】
本発明の他のファインダ装置によれば、光軸と略直交する方向及び略光軸方向に移動可能な少なくとも１枚のレンズと、前記レンズを光軸と略直交する方向及び略光軸方向に移動を行う少なくとも２以上のレンズ調整機構と、前記レンズを支持する少なくとも２以上の支持部と、該支持部の少なくとも１つに貫通して、かつ光軸に略平行に配設する貫通部材と、回動可能でかつ回動中心から外れた位置で前記貫通部材と一体となす偏心部材と、を備え、前記偏心部材と前記貫通部材の他方端を回動可能に保持する保持部材とを備えることを特徴とする。
【００１１】
本発明の他のファインダ装置によれば、前記支持部のうち少なくとも１つを付勢する弾性部材と、該弾性部材の付勢方向で、かつ前記保持部の少なくとも１つに螺合可能な調節部とを備え、前記調節部を回動して前記弾性部材の付勢方向と反対方向に前記支持部を押すことを特徴とする。
【００１２】
【発明の実施の形態】
以下、本発明のファインダ装置のレンズの調整機構について、図でもって説明する。図１は本発明のファインダ装置の斜視図であり、図２は図１に示すファインダ装置から枠体をはずした際の斜視図である。図３は本発明のファインダ装置の概要図であり、（ａ）はその正面図であり、（ｂ）はその断面図である。図４は偏心部材を回動したときのレンズの移動位置を示すファインダ装置の正面図であり、（ａ）〜（ｇ）はそれぞれ偏心部材の回動に対応した対物レンズの位置である。図５は、対物レンズ１を上方向に移動した際の図であり、（ａ）は正面図、（ｂ）は説明図、（ｃ）は断面図である。
【００１３】
本発明のファインダ装置は、図１及び図２に示す如く、対物レンズ１に支持部１０及び支持部１１を設け、ファインダ装置の光軸に略並行でかつ前記支持部１０を貫通して回動可能なレンズ軸２を設け、該レンズ軸２の一方端を回動可能に略コ字状の一方端側で保持する枠体８を設け、前記支持部１０と枠体８の一方端側との間に圧縮バネ５を設けて前記支持部１０を前記枠体８の略コ字状の他方端側に付勢し、枠体８の他方端側に回動可能でかつ回動の略中心部からずれた位置に凹部を設けた偏心部材３を配設するとともに、前記レンズ軸２の他方端を前記偏心部材３の凹部に配設し、さらに前記支持部１０を枠体８の一方端側に移動する調節ネジ部材７を螺合している。
【００１４】
また、一方の支持部１１は、枠体９に設けた捩りバネ部材４にて前記レンズ軸２の略直交方向に付勢されるとともに、前記枠体９に螺合する調節ネジ部材６に接触させている。この調節ネジ部材６は所要に回動させることで前記支持部１１を光軸に対して略垂直方向に移動させることができる。
【００１５】
なお、本例において偏心部材３の回動の中心部はファインダ装置の正面図（図３）に示された略円状の偏心部材３の略円の中心とし、レンズ軸２の他方端を偏心部材３の凹部に配設する位置は、偏心部材３の回動に伴い、略円の中心から一定の長さをもった位置で略円上に回動する。
また、前記レンズ軸２の他方端と前記偏心部材３の凹部とは、圧接またはポリ系の接着部材で接着して接合し、特に偏心部材３の凹部に対応してレンズ軸２の他方端の形状を決めて圧接することで、接着用の部材は必要なく組立ても容易にすることができる。
【００１６】
ここで、図４でもって、対物レンズ１の位置調整について説明すると、図４の（ａ）は対物レンズ１の基準位置であり、レンズ軸２の他方端を偏心部材３の凹部に配設する位置は、偏心部材３の回動中心から略最下端に位置している。
【００１７】
前記対物レンズの位置を左又は右側に移動する場合は、同図の（ｄ）及び（ｅ）に示す如く、偏心部材３を時計方向に９０度又は反時計方向に９０度回動することで、レンズ軸２の他方端を偏心部材３の凹部に配設する位置は、偏心部材３の回動中心から略最左端又は略右端に位置し、これに対応して対物レンズ１も左側または右側に移動される。
【００１８】
また、レンズ軸２の他方端を偏心部材３の凹部に配設する位置は、基準位置より図から上方向に移動することに伴い、対物レンズの中心部も微小に上方向に移動しているので、前記枠体９に螺合する調節ネジ部材６を回動して、偏心部材３の回動により上方向に対物レンズ１が移動した分だけ下方向に調節することで、支持部材２を下方向に移動して、対物レンズ１も下方向に移動し、対物レンズ１の中心部を基準位置から平行に左側又は右側に移動することができる。
【００１９】
次に、対物レンズ１の基準位置より下方向に移動したい場合は、図の（ｂ）又は（ｃ）に示す如く、調節ネジ部材６をさらに回動して、該調節ネジ部材６を下方向に捩じ込むことで、調節ネジ部材６に接触している支持部材２が下方向に移動し、対応して対物レンズ１も下方向に移動できる。
【００２０】
一方、対物レンズ１を上方向に移動する場合は、図の（ｆ）又は（ｇ）に示す如く、該調節ネジ部材６を下方向に捩じ込む場合と反対方向に回動させ上方向に引き出すことで、調節ネジ部材６に接触している支持部材２が上方向に移動し、対応して対物レンズ１を上方向に移動できる。
【００２１】
また、図５に示す如く、偏心部材３を１８０度回動して偏心部材３の凹部とレンズ軸２との配設部の位置をこの移動範囲の最上端に移動することで、支持部１０も最上端になり、これに対応して調整ネジ部材６を回動して上方向に移動することで、対物レンズ１の中心部の位置を略垂直に上方向に移動できる。
【００２２】
したがって、支持部材２は捩りバネ４によって、調節ネジ部材６に付勢されているので、調節ネジ部材６を回動しすぎても、他の部材を破損させることはない。
【００２３】
また、偏し部材３を回動して、対物レンズ１を移動しているので、回動しすぎたとしても、１回動すれば元の位置に戻るので、これによっても他の部材を破損する心配がない。
【００２４】
次に、対物レンズ１を光軸方向と略並行に移動する場合は、調節ネジ部材７を回動し、該回動によって調節ネジ部材７と前記支持部１０とが接触している部位を光軸方向と略並行方向に移動して行う。
【００２５】
かくして、本発明のファインダ装置の調整機構によれば、対物レンズ１を偏心部材３にて、上下左右方向に移動することができることで、対物レンズ１を破損させることなく、調整することができる。
【００２６】
また、偏心部材３のよって対物レンズの上下方向の調整を行うこともできるが、調節ネジ部材６を用いることで、対物レンズの上下方向を大きく調整することができるとともに、対物レンズの光軸方向の調節も調節ネジ部材７で行うことができることで、簡便に視差調節及び視度調節が行える。
【００２７】
なお、本発明は上記実施の形態例に限定されるものではなく、本発明の要旨を逸脱しない範囲内で種々の変更や改良等は何ら指し支えない。
【００２８】
例えば、対物レンズ１の移動に、調節ネジ部材６，７を用いたが、これに限定されず、モータ等の駆動部材を用いて、対物レンズ１の支持部１０，２を押す仕組みとし、調整を行うことができる。
【００２９】
また、圧縮バネ５や捩りバネ部材４を用いたがこれに限定されず、ゴム等の弾性部材を用いても、同様の効果が得られる。
【００３０】
さらに、レンズ軸２の他方端を偏心部材３の凹部を溶接やその他の方法で接合又は一体部品としてもよい。こうすることで部品点数を減らすことができる。
【００３１】
【発明の効果】
かくして、本発明のファインダ装置のレンズ調節機構によれば、調節ネジを回動しすぎても関係する部品の破損を防止し、簡単に視度調整や視差調整を行うことができた。
【図面の簡単な説明】
【図１】本発明のファインダ装置の斜視図である。
【図２】図１に示すファインダ装置から枠体をはずした際の斜視図である。
【図３】本発明のファインダ装置の概要図であり、（ａ）はその正面図であり、（ｂ）はその断面図である。
【図４】偏心部材を回動したときの対物レンズの移動位置を示すファインダ装置の正面図であり、（ａ）〜（ｇ）はそれぞれ偏心部材を回動に対応したレンズ位置である。
【図５】対物レンズ１を上方向に移動した際の図であり、（ａ）は正面図、（ｂ）は説明図、（ｃ）は断面図である。
【符号の説明】
１・・・対物レンズ
２・・・レンズ軸
３・・・偏心部材
４・・・捩りバネ
５・・・圧縮バネ
６・・・調節ネジ部材
７・・・調節ネジ部材
８・・・枠体
９・・・枠体
【図１】
2004258251.tif 000003
【図２】
2004258251.tif 000004
【図３】
2004258251.tif 000005
【図４】
2004258251.tif 000006
【図５】
2004258251.tif 000007